(57)【要約】【課題】安全に光を患部に照射できる光照射装置を提供する。【解決手段】光照射装置１０は、筐体１２、紫外線光源１４、可視光線光源１６および制御部１８を備える。紫外線光源１４はＵＶＡ（紫外線Ａ波）の波長の光を発光する第１紫外線光源２６とＵＶＢ（紫外線Ｂ波）の波長の光を発光する第２紫外線光源２８を備える。制御部１８は紫外線光源１４と可視光線光源１６に対して同時に電力を供給する。紫外線光源１４と可視光線光源１６が同時に発光することで、人が紫外線光源１４の発光を認識できる。【選択図】図１
2020099374.tif 000002
【特許請求の範囲】
【請求項１】
手で持たれる把持部および鼻孔内に挿入される挿入部を有する筐体と、
前記筐体の中に収納され、紫外線を発する紫外線光源と、
前記筐体の中に収納され、前記紫外線光源の発光時に可視光線を発する可視光線光源と、
前記紫外線および可視光線を筐体の中から外に出射するために前記挿入部に形成された開口と、
前記紫外線光源と可視光線光源への電力供給を制御する制御部と、
を備えた光照射装置。
【請求項２】
前記筐体の外を撮影する撮像部を備え、
前記可視光線光源が発した可視光線の反射光を撮像部が受光する請求項１の光照射装置。
【請求項３】
前記撮像部で撮影されたデータを画像処理する画像処理部を備え、
前記画像処理部が画像処理するときに、前記可視光線光源が発光し、紫外線光源が消灯する請求項２の光照射装置。
【請求項４】
前記撮像部で撮影されたデータを表示する表示部を備えた請求項２または３の光照射装置。
【請求項５】
前記紫外線光源の焦点距離が一定であり、筐体を移動させることで紫外線光源の照射位置を決定する請求項１から４のいずれかの光照射装置。
【請求項６】
前記制御部が前記筐体の外に備えられたコンピュータである請求項１から５のいずれかの光照射装置。
【請求項７】
前記紫外線光源が発する紫外線を分割する手段と、
前記分割された紫外線を受光する受光素子と、
を備えた請求項１から６のいずれかの光照射装置。
【請求項８】
前記筐体の内面が光反射面になっている請求項１から７のいずれかの光照射装置。
【請求項９】
前記筐体の外面が撥水面になっている請求項１から８のいずれかの光照射装置。
【請求項１０】
前記紫外線光源および可視光線光源を冷却する冷却部材が前記筐体内に備えられた請求項１から９のいずれかの光照射装置。
【請求項１１】
前記挿入部の先端に前記開口を開閉するシャッターを設けた請求項１から１０のいずれかの光照射装置。
【発明の詳細な説明】
【技術分野】
【０００１】
本発明は、患部に光を照射する光照射装置に関するものである。
【背景技術】
【０００２】
近年、患部に光を照射して治療する装置が開発されている。たとえば、下記特許文献１に中心波長３１０ｎｍ付近の光を鼻孔内に照射して鼻炎を治療する装置が開示されている。特許文献１の装置は円筒状の挿入部１００の先端にＬＥＤ１０２が備えられている（図９）。挿入部１００に開口１０４が形成されていて、光検出部１０６が開口１０４を通して光（照明の光等）を受光するようになっている。光検出部１０６で検出される光の強度が基準以下であればＬＥＤ１０２が発光される。ここで光の強度は鼻孔内での光の強度であり、挿入部１００が鼻孔の中に入るとＬＥＤ１０２が発光される。
【０００３】
しかし、挿入部１００が鼻孔内に入っていなくても、挿入部１００の向きによっては、光検出部１０６に光が届かない。たとえば、開口１０４が下方を向くように挿入部１００を配置した場合、光検出部１０６に光が届かない。このような場合に、ＬＥＤ１０２が発光される。知らない間に皮膚や目にＬＥＤ１０２で発せられた紫外線が過剰に照射され、それらにダメージを生じさせてしまうおそれがある。
【先行技術文献】
【特許文献】
【０００４】
【特許文献１】特許第６１９５２６８号公報
【発明の概要】
【発明が解決しようとする課題】
【０００５】
本発明の目的は、安全に光を患部に照射できる光照射装置を提供することにある。
【課題を解決するための手段】
【０００６】
本発明の光照射装置は、手で持たれる把持部および鼻孔内に挿入される挿入部を有する筐体と、前記筐体の中に収納され、紫外線を発する紫外線光源と、前記筐体の中に収納され、前記紫外線光源の発光時に可視光線を発する可視光線光源と、前記紫外線および可視光線を筐体の中から外に出射するために前記挿入部に形成された開口と、前記紫外線光源と可視光線光源への電力供給を制御する制御部とを備える。
【０００７】
前記筐体の外を撮影する撮像部を備える。前記可視光線光源が発した可視光線の反射光を撮像部が受光する。
【０００８】
前記撮像部で撮影されたデータを画像処理する画像処理部を備える。前記画像処理部が画像処理するときに、前記可視光線光源が発光し、紫外線光源が消灯する。
【０００９】
前記撮像部で撮影されたデータを表示する表示部を備える。前記紫外線光源の焦点距離が一定であり、筐体を移動させることで紫外線光源の照射位置を決定する。
【００１０】
前記制御部が前記筐体の外に備えられたコンピュータである。
【００１１】
前記紫外線光源が発する紫外線を分割する手段と、前記分割された紫外線を受光する受光素子とを備える。
【００１２】
前記筐体の内面が光反射面になっている。前記筐体の外面が撥水面になっている。前記紫外線光源および可視光線光源を冷却する冷却部材が筐体内に備えられている。前記挿入部の先端に前記開口を開閉するシャッターを設けられている。
【発明の効果】
【００１３】
本発明によると、紫外線光源と可視光線光源を備え、両方の光源が同時に発光することで、紫外線が発光していることを認識できる。紫外線を患部以外の部分に照射しているときに注意を促すことができる。知らない間に患部以外の部分に紫外線を照射してダメージを与えることを防止できる。
【００１４】
可視光線光源が発した光の反射光を撮像部が受光でき、鼻孔内を撮影することができる。撮影された画像データを表示部に表示させることで、素早く患部に紫外線を照射できる。紫外線を分割して、一部を受光することで、紫外線光源の状態がわかり、所定強度以上の紫外線を照射することを防止できる。筐体の内面を光反射面にしておくことで、筐体の劣化を防止できる。筐体の外面が撥水面になっていることで、筐体を簡単に清掃できる。冷却部材が各光源を冷却するため、鼻孔が火傷されることを防止できる。
【図面の簡単な説明】
【００１５】
【図１】本願の光照射装置の外観を示す図である。
【図２】本願の光照射装置の構成を示すブロック図である。
【図３】挿入部付近の図であり、（ａ）は挿入部付近の構成を示す図であり、（ｂ）は基板に実装された各光源を示す図である。
【図４】撮像素子を用いた光照射装置の構成を示すブロック図である。
【図５】挿入部の先端にシャッターを設けた図であり、（ａ）はシャッターが閉じた図であり、（ｂ）はシャッターが開いた図である。
【図６】紫外線の光軸上にハーフミラーを配置した図である。
【図７】スマートフォンを制御部として使用した光照射装置の外観を示す図である。
【図８】１つの筐体に全ての部品を収納した光照射装置の外観を示す図である。
【図９】従来の光照射装置の光供給手段を示す図である。
【発明を実施するための形態】
【００１６】
本発明の光照射装置について図面を使用して説明する。複数の実施形態を説明するが、同一の構成は同一の符号を付して重複説明を省略する場合がある。
【００１７】
[実施形態１]
図１および図２に示す本願の光照射装置１０は、鼻炎を治療するための装置である。光照射装置１０は筐体１２、紫外線光源１４、可視光線光源１６および制御部１８を備える。
【００１８】
紫外線光源１４および可視光線光源１６は筐体１２の中に収納されている(図３)。筐体１２は手で把持される部分である把持部２０および鼻孔内に入れられる部分である挿入部２２を有する。把持部２０は手で握れる形状であればどのような形状であってもよい。たとえば図１に示す把持部２０は中心が膨らんだ円筒形状になっており、手で握りやすい形状になっている。挿入部２２は把持部２０よりも直径が小さくなった円筒形状である。鼻孔内を傷つけないように、挿入部２２の先端は曲線状に面取りしておくことが好ましい。
【００１９】
紫外線光源１４および可視光線光源１６はそれぞれ発光ダイオードである。挿入部２２の先端に開口２４が形成されており、各光源１４、１６で発光された光は開口２４を通して筐体１２の外に出射される。
【００２０】
紫外線光源１４はＵＶＡ（紫外線Ａ波）の波長の光を発光する第１紫外線光源２６とＵＶＢ（紫外線Ｂ波）の波長の光を発光する第２紫外線光源２８を備える。具体的には、第１紫外線光源２６で発光される紫外線は中心波長３６５ｎｍの光であり、第２紫外線光源２８で発光される紫外線は中心波長３１０ｎｍの光である。従来技術で説明した装置に比べて本願はＵＶＡの紫外線を追加している。各紫外線光源２６、２８の光強度は、患者または治療方法によって適宜変更できるようにしてもよい。なお、説明した紫外線は鼻炎治療に効果を有するとされている紫外線であるが、鼻炎治療が可能であれば、中心波長は異なっていてもよい。第１紫外線光源２６または第２紫外線光源２８のいずれかのみを使用したてもよく、さらに使用する紫外線の数によって紫外線光源１４を構成する光源の数を変更してもよい。
【００２１】
図３（ａ）に示すように、第１紫外線光源２６が発する光の中心軸Ｌ１と第２紫外線光源２８が発する光の中心軸Ｌ２は所定位置Ｐで交わる。各紫外線光源２６、２８から所定位置Ｐまでの距離が一定になっている。この所定位置Ｐが鼻孔内の治療したい位置（患部）になるように、筐体１２を持つ手を調整する。２本の紫外線が同一箇所に照射される。第１紫外線光源２６と第２紫外線光源の光は所定位置Ｐにおいて所定のスポット径を有し、紫外線が所定範囲に照射されるようにしてもよい。
【００２２】
可視光線光源１６は可視光領域の光を発光する。たとえば可視光線光源１６は白色光を発光する。人の視覚は紫外線を認識できないため、紫外線光源１４で発せられた紫外線を人は認識できない。紫外線光源１４と可視光線光源１６が同時に発光することで、開口２４から光が出射されたときに、可視光線を認識することで紫外線光源１４が発光されていることを認識できる。可視光線光源１６が発光しているとき、不用意に鼻孔以外に照射しないように注意を促すことができる。
【００２３】
紫外線光源１４および可視光線光源１６はプリント基板３０に実装されている。プリント基板３０における光源１４、１６が実装されていない面に金属板または金属棒などの冷却部材３２を取り付ける。冷却部材３２は各光源１４、１６に対して絶縁しておく。各光源１４、１６が発熱しても、各光源１４、１６の熱が冷却部材３２に伝わり、各光源１４、１６が冷却される。たとえば各光源１４、１６は３分の発光で２５℃を超えないようにする。各光源１４、１６が安定して動作する。
【００２４】
開口２４から筐体１２の中にゴミが入らないように、ガラス板または樹脂板からなる透光性の板３４が開口２４にはめ込まれている。さらに、挿入部２２の外側に光透過性のシートをかぶせて使用してもよい。患者ごとにシートを取り換えることで、良い衛生状態で装置を使用できる。
【００２５】
筐体１２および透光性の板３４の外面が撥水面になっていてもよい。筐体１２および透光性の板３４の外面が撥水性のコーティングを施されている。筐体１２と透光性の板３４の外面に汚れが付きにくく、筐体１２および透光性の板３４の外面の汚れはアルコールで簡単に除去できる。筐体１２の外面が簡単に清掃でき、筐体１２の外面が清潔にされやすい。
【００２６】
筐体１２は樹脂で構成されている。光反射面が筐体１２の内面３６に形成されている。筐体１２が紫外線を吸収して劣化するのを防止するためである。光反射面は鏡面であったり、白色面であったりする。筐体１２の内面が鏡面加工されたり、白色塗料でコーティングされたりすることで、筐体１２の内面が光反射面になる。なお、筐体１２の内面３６の中で光源１４がある位置から開口３２までの部分を光反射面にしてもよい。
【００２７】
紫外線が筐体１２の内面３６に照射されにくくするために、紫外線光源１４の前に紫外線を集光するレンズが設けられても良い。紫外線が筐体１２の内面３６に照射されると散乱するが、レンズによって紫外線が筐体１２の内面３６に照射されにくくなり、紫外線が散乱されずに進行しやすくなる。紫外線が筐体１２の内面３６に照射されにくく、筐体１２が劣化されにくくなる。紫外線の進行方向が決定されるため、紫外線が照射される場所を限定できる。治療したい位置に集中的に紫外線を照射できる。また反対に、透光性の板３４が各光源１４、１６の光を散乱させ、広範囲に光が照射されるようにしてもよい。患部の面積が広い場合に１回の光照射で患部全体に光を照射できる。
【００２８】
可視光線を集光させないことが好ましい。そのために、可視光線光源１６の前に光を散乱させるための散乱部材（プリズムなど）を配置してもよい。開口２４から出射された可視光線が四方八方に散乱させられることで、紫外線の進行方向とは異なる方向から可視光線を認識できる。紫外線が網膜に照射されない位置から可視光線を認識でき、安全に紫外線光源１４の発光を認識できる。
【００２９】
制御部１８は各光源１４、１６の点灯と消灯を制御する電子回路である。制御部１８は筐体１２とは異なる箱状の筐体３８に収納されている。各光源１４、１６と制御部１８は電線４０で接続されている。
【００３０】
制御部１８を制御するためのスイッチ４２が設けられている。スイッチ４２が押されると、制御部１８は光源１４、１６に電力供給する。電源４４が制御部１８に接続されており、制御部１８は電源４４の電力を所定電圧等に変換し、光源１４、１６に供給する機能を有する。電源４４は商用電源であってもよいし、電池であってもよい。
【００３１】
制御部１８は紫外線光源１４と可視光線光源１６に対して同時に電力を供給する。紫外線光源１４と可視光線光源１６が同時に発光させられるためである。制御部１８の内または外ですべての光源１４、１６が直列接続されてもよい。すべての光源１４、１６に同時に電力が供給され、すべての光源１４、１６が同時に発光する。必ず可視光線光源１６が発光するため、紫外線光源１４が発光していることを認識しやすくなっている。いずれかの光源１４、１６が故障した場合、すべての光源１４、１６が発光しないため、不用意に開口２４をのぞき込んでも紫外線が照射されない。
【００３２】
タイマー４６が制御部１８に接続されており、紫外線光源１４に電力供給を開始してからの時間を計時する。制御部１８は紫外線光源１４に電力供給する時間を内蔵のメモリに記憶しておく。タイマー４６で計時した時間がメモリに記憶された時間になったら、制御部１８は紫外線光源１４への電力供給を停止する。予めメモリに記憶しておいた時間までしか紫外線光源１４は発光できない。鼻孔内に過剰に紫外線を照射させないようになっている。たとえば、紫外線光源１４が３分以上発光しないようにする。上記スイッチ４２でメモリに記憶された時間を変更できるようにしてもよい。
【００３３】
表示部４８が制御部１８に接続されている。表示部４８は筐体３８に取り付けられている。表示部４８はタイマー４６で計時している時間またはメモリに記憶した時間からタイマー４６で計時した時間を引いた時間を表示する。表示部４８の付近に紫外線光源１４に電力供給されているときに発光するランプ５０を備えてもよい。
【００３４】
本願の光照射装置１０の使用方法は次のようになっている。（１）鼻孔内に挿入部２２を挿入し、スイッチ４２を押す。（２）制御部１８が光源１４、１６に電力供給し、光源１４、１６が発光する。筐体１２を動かし、鼻孔内の治療したい位置に紫外線を照射させる。（３）タイマー４６が制御部１８から光源１４に電力が供給されてからの時間を計時する。（４）タイマー４６で計時された時間がメモリに記憶された時間になれば、制御部１８は光源１４、１６への電力供給を停止する。（５）挿入部２２を鼻孔から抜き出すことで治療が終了する。
【００３５】
以上のように、本発明は紫外線光源１４と可視光線光源１６が同時に発光するため、鼻孔外に挿入部２２があるときにスイッチ４２を押してしまっても、紫外線が発光していることを認識できる。知らない間に鼻孔外に紫外線を照射することを注意でき、皮膚および網膜などの損傷を防止できる。
【００３６】
[実施形態２]
図４の光照射装置５２は筐体１２の中に撮像部５４を備えている。撮像部５４は小型のＣＣＤまたはＣＭＯＳの受光モジュールである。撮像部５４は紫外線光源１４で発せられる紫外線の中心軸以外の位置に配置する。撮像部５４は、開口３２を介して筐体１２の外部から内部に入る光を受光する。通常、挿入部２２を鼻孔内に入れると光量が小さいため、撮像部５４で鼻孔を撮影することが困難になる。本願は、可視光線光源１６が発光した光を鼻孔内に照射し、その反射光を撮像部５４で受光する。本願は可視光線光源１６を備えることで、鼻孔を撮影することが可能になる。
【００３７】
画像処理部５６が制御部１８に接続されている。画像処理部５６が撮像部５４で撮影された画像データを画像処理する。画像処理は、鼻孔に焦点が合っているか否かおよび焦点の合っている部分が鼻孔の所定部分であるか否かを判断する。紫外線光源２６、２８の焦点は図３（ａ）に示す所定位置Ｐとする。筐体１２を手で持っており、手を動かすことで時間と共に画像データが変化する。鼻孔に焦点が合っているか否かは、画像データの中心付近におけるコントラストの差を求め、最もコントラストの差が大きくなった時に焦点が合っているとする。焦点が合った部分が鼻孔の所定部分であるか否かは、予め鼻孔の所定部分の画像データをメモリ（図示省略）に記憶して起き、焦点が合った時の画像データとメモリに記憶された画像データを比較して、所定部分であるか否かを判断する。たとえば、所定部分の複数点の特徴が一致すれば、所定部分であると判断する。患部に一定の光強度の紫外線を照射することができる。
【００３８】
制御部１８は、画像処理によって鼻孔に焦点が合っていれば、表示部４８にその旨を表示してもよい。光照射装置５２がスピーカーなどの音声部を備えてもよく、音声によって焦点が合ったことを示してもよい。筐体１２を持つ手を固定することで、鼻孔内の所定場所に焦点が合った状態を継続できる。
【００３９】
制御部１８は、焦点が合った後に紫外線光源１４に電力を供給しもよい。すなわち、まず制御部１８は可視光線光源１６に電力を供給し、発光させる。可視光線光源１６で発光された光が鼻孔に照射され、その反射光が撮像部５４で受光される。画像処理部５６が画像処理し、鼻孔の所定部分に焦点が合えば、制御部１８は紫外線光源１４に電力を供給する。焦点が合うまでは紫外線は発光されず、焦点が合った後に紫外線が発光される。不要な紫外線照射が無く、安全に光照射装置５２を使用することができる。なお、本構成の場合、各光源１４、１６は並列接続される。
【００４０】
[実施形態３]
撮像部５４の代わりに光センサーを設けてもよい。光センサーが受光した光強度が一定以下になれば紫外線光源１４が発光するようにする。紫外線光源１４と一緒に可視光線光源１６が発光されてもよい。たとえば、鼻孔内に挿入部２２を入れることで光センサーで受光される光の強度が一定以下になり、紫外線光源１４が発光する。鼻孔の外に挿入部２２があっても、光が筐体内に入らなければ紫外線光源１４が発光する。その際に可視光線光源１６が紫外線光源１４と一緒に発光する。紫外線が発せられていることを認識でき、鼻孔内以外の場所に知らない間に照射してしまうことを防止できる。
【００４１】
[実施形態４]
図５のように、挿入部２２の先端にシャッター５８を設けてもよい。シャッター５８は開口２４を開閉するものである。シャッター５８は開口２４を開閉する開閉部６０、鼻柱または鼻翼に接触する接触部６２、および回転軸６４を備える。開閉部６０および接触部６２は板体である。挿入部２２を鼻孔内に入れた時に、接触部６２が鼻柱または鼻翼に接触し、回転軸６４を中心に開閉部６０が回ることで開口２４が開けられる。鼻孔内に挿入部２２が入るまで開口２４は閉じており、不用意に紫外線が照射されるおそれがない。シャッター５８の形状は開口２４を開閉できれば、図５に示す形状に限定されない。
【００４２】
[実施形態５]
図６のように、紫外線の一部を反射し、残りを透過させるハーフミラー６６またはプリズムなどを配置してもよい。ハーフミラー６６またはプリズムは紫外線が通過する部分に配置されている。治療に必要な光量になる紫外線をハーフミラー６６またはプリズムで透過させて開口２４から出射させる。反射した紫外線を受光素子６８で受光する。受光素子６８で紫外線が受光されれば紫外線が発光していることとなる。受光素子６８は紫外線を受光すると制御部１８に信号を入力する。表示部４８などで紫外線が発光していることを示してもよい。
【００４３】
さらに、制御部１８は受光素子６８での受光光量が一定値以上であるか否かを確認する。制御部１８から紫外線光源１４に電力を供給しているが、紫外線の強度が強すぎると紫外線を照射した部分が損傷するおそれがある。そのため、紫外線の一部を受光し、紫外線光源１４が発光している紫外線の強度を確認する。受光光量が一定以上であれば、紫外線光源１４への電力供給を停止し、治療を中止して鼻孔を損傷することを防止する。受光素子６８での受光光量はハーフミラー６６またはプリズムでの紫外線の反射光量と透過光量の比から決定する。表示部４８に紫外線光源１４が異常であることを表示してもよい。さらに、受光光量が一定以下であれば、所定の治療が行えないおそれがあり、その場合も表示部４８に紫外線光源１４が異常であることを表示してもよい。患部に一定の光強度の紫外線を照射することができる。
【００４４】
制御部１８は受光素子６８の受光光量に応じて紫外線光源１４への電力供給量を調整してもよい。紫外線光源１４が一定の光量の紫外線を発光することになる。紫外線光源１４ごとの個体差を無くすことができる。
【００４５】
図６は第１紫外線光源２６と第２紫外線光源２８の両方に対してハーフミラー６６と受光素子６８が配置されているが、第２紫外線光源２８に対してのみハーフミラー６６と受光素子６８を配置してもよい。第２紫外線光源２８は波長の短い紫外線（ＵＶＢ）を発光するため、皮膚などへのダメージが大きい。少なくとも第２紫外線光源２８で発光される紫外線の光量が一定値上になっていなことを監視する。
【００４６】
[実施形態６]
制御部１８は特別な筐体３８に収納することに限定されない。たとえば、図７の光照射装置７０のように、スマートフォン７２のハードウェア（ＭＰＵなど）およびソフトウェア（アプリケーションプログラム）を制御部１８として機能させてもよい。さらに、図２におけるスイッチ４２はスマートフォン７２のタッチパネル、表示部４８はスマートフォン７２のディスプレイ７６、電源４４はスマートフォン７２の電池、タイマー４６はスマートフォン７２の時計に置き換えられる。各光源１４、１６および撮像部５４はケーブル（たとえばＵＳＢ  Ｔｙｐｅ−Ｃケーブルなど）７４を介してスマートフォン７２に接続される。スマートフォン７２のディスプレイ７６に必要情報およびボタンなどを表示し、タッチパネルで光照射装置７０を操作する。たとえば、ディスプレイ７６に照射時間を表示し、タッチパネルで照射時間を設定する。撮像部５４が撮影した画像データをスマートフォン７２のディスプレイ７６に表示し、映像を見ながら筐体１２を動かすことができる。で鼻孔内の所定位置（患部）に素早く可視光を照射し、その後に紫外線を照射できる。その照射中にスマートフォン７２のディスプレイ７６に照射時間の残り時間または経過時間を表示してもよい。スマートフォン７２の他にはディスクトップ型コンピュータ、ラップトップ型コンピュータ、タブレットなどのコンピュータが挙げられる。
【００４７】
また、各紫外線光源２６、２８の前にレンズを配置し、紫外線の焦点距離が固定される場合、焦点距離よりも遠い位置に紫外線が照射されると、紫外線の光強度が弱く、治療の効果がでにくい。焦点距離よりも近い位置に紫外線が照射されると、紫外線の強度が強すぎて、鼻孔内を損傷するおそれがある。ディスプレイ７６に撮影した画像データが表示されることで、紫外線が照射されている部分をすばやく確認でき、紫外線が患部に適度に照射することができる。本実施形態と実施形態２と組み合わせて、画像処理によって紫外線の焦点が合っているか否かをディスプレイ７６に表示してもよい。患部に一定の光強度の紫外線を照射することができる。
【００４８】
スマートフォン７２などのコンピュータであればインターネットなどの通信回線を介して医師等のコンピュータに画像を送信してもよい。医師等が画像を見て診察等することができる。医師等のコンピュータからスマートフォン７２などのコンピュータに通信回線を介して診察等の結果を送信してもよい。
【００４９】
[実施形態７]
図８に示す光照射装置８０のように、筐体３８またはスマートフォン７２などのコンピュータに収納されていた全ての部品が筐体１２に収納されてもよい。筐体１２にスイッチ８２と表示部８４が取り付けられている。スイッチ８２は、上記スイッチ４２またはスマートフォン７２のタッチパネルに相当するものである。表示部８４は表示部４８またはスマートフォン７２のディスプレイ７６に相当するものである。筐体１２の中に電源４４が配置され、その電源４４は二次電池であり、ＵＳＢケーブルなどを使用してモバイルバッテリー充電器、商用電源、コンピュータ、スマートフォン、またはタブレットなどから電源４４を充電できるようにしてもよい。電源４４が充電されていなかったり、充電量が少なかったりする場合、ＵＳＢケーブルなどで制御部１８などに電力供給しながら駆動させてもよい。スイッチ８２の数は限定されず、スイッチ８２の数を減らして操作を簡単にすることが好ましい。筐体１２を片手で操作するだけであり、取り扱いが容易になる。１つの筐体１２に全ての部品が収納されているため、光照射装置８０は小型化され、携行しやすくなっている。ＷｉＦｉなどの規格の通信装置が光照射装置８０に備えられ、実施形態６のように光照射装置８０が通信回線を介して通信できるようにしてもよい。
【００５０】
その他、本発明は、その主旨を逸脱しない範囲で当業者の知識に基づき種々の改良、修正、変更を加えた態様で実施できるものである。
【符号の説明】
【００５１】
１０、５２、７０、８０：光照射装置
１２：筐体
１４：紫外線光源
１６：可視光線光源
１８：制御部
２０：把持部
２２：挿入部
２４：開口
２６：第１紫外線光源
２８：第２紫外線光源
３０：プリント基板
３２：冷却部材
３４：透光性の板
３６：筐体の内面
３８：筐体
４０：電線
４２、８２：スイッチ
４４：電源
４６：タイマー
４８、８４：表示部
５０：ランプ
５４：撮像部
５６：画像処理部
５８：シャッター
６０：開閉部
６２：接触部
６４：回転軸
６６：ハーフミラー
６８：受光素子
７２：スマートフォン
７４：ケーブル
７６：ディスプレイ
【図１】
2020099374.tif 000003
【図２】
2020099374.tif 000004
【図３】
2020099374.tif 000005
【図４】
2020099374.tif 000006
【図５】
2020099374.tif 000007
【図６】
2020099374.tif 000008
【図７】
2020099374.tif 000009
【図８】
2020099374.tif 000010
【図９】
2020099374.tif 000011
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
手で持たれる把持部および鼻孔内に挿入される挿入部を有する筐体と、
前記筐体の中に収納され、ＵＶＡの波長の光を発光する第１紫外線光源とＵＶＢの波長の光を発光する第２紫外線光源とを備え、該第１紫外線光源の光の中心軸と該第２紫外線光源の光の中心軸が所定位置で交わる紫外線光源と、
前記筐体の中に収納され、前記紫外線光源の発光時に可視光線を発する可視光線光源と、
前記紫外線および可視光線を筐体の中から外に出射するために前記挿入部に形成された開口と、
前記紫外線光源と可視光線光源への電力供給を制御する制御部と、
前記筐体の外を撮影する撮像部と、
前記撮像部で撮影されたデータを画像処理する画像処理部と、
を備え、
前記可視光線光源が発した可視光線の反射光を撮像部が受光し、
前記画像処理部は第１紫外線光源の光の中心軸と該第２紫外線光源の光の中心軸が鼻孔で交わっているか否かおよび該交わった部分が鼻孔の所定位置であるか否かを判断する光照射装置。
【請求項２】
前記画像処理部が画像処理するときに、前記可視光線光源が発光し、紫外線光源が消灯する請求項１の光照射装置。
【請求項３】
前記撮像部で撮影されたデータを表示する表示部を備えた請求項１または２の光照射装置。
【請求項４】
前記紫外線光源の焦点距離が一定であり、筐体を移動させることで紫外線光源の照射位置を決定する請求項１から３のいずれかの光照射装置。
【請求項５】
前記制御部が前記筐体の外に備えられたコンピュータである請求項１から４のいずれかの光照射装置。
【請求項６】
前記紫外線光源が発する紫外線を分割する手段と、
前記分割された紫外線を受光する受光素子と、
を備えた請求項１から５のいずれかの光照射装置。
【請求項７】
前記筐体の内面が光反射面になっている請求項１から６のいずれかの光照射装置。
【請求項８】
前記筐体の外面が撥水面になっている請求項１から７のいずれかの光照射装置。
【請求項９】
前記紫外線光源および可視光線光源を冷却する冷却部材が前記筐体内に備えられた請求項１から８のいずれかの光照射装置。
【請求項１０】
前記開口を開閉する開閉部と、
前記挿入部を鼻孔内に入れたときに鼻柱または鼻翼に接触する接触部と、
回転軸と、
を備え、
前記接触部が鼻柱または鼻翼に接触すると回転軸を中心に開閉部が回る請求項１から９のいずれかの光照射装置。